(57)【要約】【課題】  パチンコ玉通過センサを、遊技盤に対して確実に取り付けることのできるパチンコ玉通過センサの取付構造を提供する。【解決手段】  遊技盤（５３）に取付可能なベース板（１１）と、ベース板（１１）に取付可能な前飾り部材（２１）と、パチンコ玉通過センサ（４１）に設けた係止突起（４５）と、により取付構造（１）を構成してあり、ベース板（１１）を貫通する差込口（１２）に差し込んだパチンコ玉通過センサ（４１）を、係止突起（４５）と前飾り部材（２１）に設けた係止凹部（２９）との嵌合によって確実に係止可能に構成してある。【選択図】    図３
2005177372.tif 000002
【特許請求の範囲】
【請求項１】
遊技盤前面に取付可能、かつ、貫通する差込口から厚板状のパチンコ玉通過センサを差込可能なベース板と、
飾りパネル背面から当該遊技盤方向に突出する一対の縦板部を介して当該ベース板に取付可能な前飾り部材と、
取り付けたときに当該ベース板前面から突出するパチンコ玉通過センサの幅方向両側端を受入支持させるために当該両縦板部各々の対向面に形成した両受入溝と、を含み、
当該遊技盤に形成した取付口を介して背面側から差し込んだパチンコ玉通過センサを、当該遊技盤の前面から部分的に突出させた状態で着脱するためのパチンコ玉通過センサの取付構造において、
当該パチンコ玉通過センサの両側端から上下に両係止突起を突き出させてあり、
当該両縦板部の取付端面の各々を、当該ベース板の差込口から部分的に露出させ当該露出させた部分には当該両係止突起の各々を嵌合可能な係止凹部を形成してある
ことを特徴とするパチンコ玉通過センサの取付構造。
【請求項２】
前記両係止突起の各々の高さ寸法を、前記両係止凹部の各々に向って漸増させてあり、
前記両係止凹部の各々の高さ寸法を、前記両係止突起の各々に向って漸減させてある
ことを特徴とする請求項１記載のパチンコ玉通過センサの取付構造。
【請求項３】
遊技盤前面に取付可能、かつ、貫通する差込口に厚板状のパチンコ玉通過センサを前面方向から差込可能なベース板と、
飾りパネル背面から当該遊技盤方向に突出する一対の縦板部を介して当該ベース板に取付可能な前飾り部材と、
取り付けたときに当該ベース板前面から突出する当該パチンコ玉通過センサの幅方向両側端を受入支持させるために当該両縦板部各々の対向面に形成した両受入溝と、を含み、
当該遊技盤の前面から部分的に突出させた状態で、かつ、当該遊技盤に形成した取付口を介して当該遊技盤の背面から部分的に突出させた状態でパチンコ玉通過センサ取り付けるためのパチンコ玉通過センサの取付構造において、
当該パチンコ玉通過センサの両側端から上下に両係止突起を突き出させてあり、
当該ベース板には、取り付けたときに当該両係止突起を厚み方向に部分受入するための両ベース板側凹部を形成してあり、
当該両縦板部の各々には、取り付けたときに当該両係止突起を部分受入するための縦板部側凹部を形成してある
ことを特徴とするパチンコ玉通過センサの取付構造。
【請求項４】
前記両係止突起の各々が、前記パチンコ玉通過センサが両側端に備える厚み方向に延びる両縦溝の各々に圧入した棒材によって構成してある
ことを特徴とする請求項１乃至３何れか記載のパチンコ玉通過センサの取付構造。
【発明の詳細な説明】
【技術分野】
【０００１】
この発明は、遊技盤に形成した取付口を介して背面側から差し込んだ厚板状のパチンコ玉通過センサを、当該遊技盤の前面から部分的に突出させた状態で着脱するためのパチンコ玉通過センサの取付構造に関するものである。
【背景技術】
【０００２】
図１１及び１２に基づいて説明する。パチンコ遊技機には、遊技盤が設けてあり、この遊技盤の前面には、パチンコ玉が入賞口に入賞したことを検知するためのパチンコ玉通過センサが設けられている。パチンコ玉通過センサ１０１には、パチンコ玉が通過可能な通過孔が形成され、パチンコ玉通過センサを遊技盤に取り付けるための取付構造（以下、適宜「従来の取付構造」という）は、次のように構成されている。すなわち、パチンコ玉通過センサ１０１の取付構造１０５は、遊技盤前面に取付可能、かつ、貫通する差込口１０７ａからパチンコ玉通過センサ１０１を差込可能なベース板１０７と、飾りパネル１０９ａの背面から遊技盤方向に突出する一対の縦板部１０９ｂ，１０９ｂを介してベース板１０７に取付可能な前飾り部材１０９と、突出するパチンコ玉通過センサ１０１の幅方向両側端を差込支持させるために当該両縦板部１０９ｂ，１０９ｂの各々の対向面に形成した両受入溝１０９ｇ，１０９ｇと、を備えている。さらに、ベース板の背面には、水平方向に延びる略Ｌ字状の係止片１１１を備えており、この係止片１１１は、パチンコ玉通過センサ１０１の一方の側端に沿って延び、同じく後端に係合してパチンコ玉通過センサ１０１を保持するように、かつ、パチンコ玉通過センサ１０１の着脱時に弾性変形するように構成されている。パチンコ玉通過センサ１０１の着脱は、遊技盤に形成した取付口を介して行われるようになっている。
【発明の開示】
【発明が解決しようとする課題】
【０００３】
しかしながら、上述した従来の取付構造では、１本の係止片によってパチンコ玉通過センサの抜け止めを行うようになっているため、その抜け止め作用が充分でない、との指摘があった。本発明が解決しようとする課題は、パチンコ玉通過センサを、遊技盤に対して確実に取り付けることのできるパチンコ玉通過センサの取付構造を提供することにある。
【課題を解決するための手段】
【０００４】
上記した目的を達成するために本発明は、次の構成を備えている。なお、何れかの請求項記載の発明の構成を説明するに当たって行う用語の定義等は、その性質上可能な範囲において他の請求項記載の発明にも適用があるものとする。
【０００５】
（請求項１記載の発明の特徴）
請求項１記載の発明に係るパチンコ玉通過センサの取付構造（以下、適宜「請求項１の取付構造」という）は、遊技盤前面に取付可能、かつ、貫通する差込口から厚板状のパチンコ玉通過センサを差込可能なベース板と、飾りパネル背面から当該遊技盤方向に突出する一対の縦板部を介して当該ベース板に取付可能な前飾り部材と、取り付けたときに当該ベース板前面から突出するパチンコ玉通過センサの幅方向両側端を受入支持させるために当該両縦板部各々の対向面に形成した両受入溝と、を含み、当該遊技盤に形成した取付口を介して背面側から差し込んだパチンコ玉通過センサを、当該遊技盤の前面から部分的に突出させた状態で着脱するための取付構造において、当該パチンコ玉通過センサの両側端から上下に両係止突起を突き出させてあり、当該両縦板部の取付端面の各々を、当該ベース板の取付口から部分的に露出させ当該露出させた部分には当該両係止突起の各々を嵌合可能な係止凹部を形成してあることを特徴とする。
【０００６】
請求項１の取付構造によれば、パチンコ玉通過センサをパチンコ遊技機の遊技盤に取り付けることができる。ベース板は、遊技盤を貫通する取付口を覆うとともに、前飾り部材の取付対象となる。パチンコ玉通過センサは、遊技盤の背面から差し込まれ、差込口を抜けてベース板の前面に部分突出する。パチンコ玉通過センサの突出部分は、両受入溝に受け入れられ、そこに支持される。このとき、パチンコ玉通過センサから上下に突出する係止突起は、差込口を抜けて両縦板部の両係止凹部と嵌合する。この嵌合によってパチンコ玉通過センサの遊技盤への取り付けと抜け止めが完了する。遊技盤からの取り外しは、パチンコ玉通過センサを引きぬくことにより両係止突起と両係止凹部との間の嵌合を解除させることにより行う。このように、両係止突起と両係止凹部との嵌合により行われることから、パチンコ玉通過センサの取り付けを確実に行うことができる。さらに、その取り付け取り外しは、差し込みと引き抜きといった単純な作業であるから、ワンタッチで簡単に行うことができる。
【０００７】
（請求項２記載の発明の特徴）
請求項２記載の発明に係るパチンコ玉通過センサの取付構造（以下、適宜「請求項２の取付構造」という）は、請求項１の取付構造であって、前記両係止突起の各々の高さ寸法を、前記両係止凹部の各々に向って漸増（少しずつ長く）させてあり、前記両係止凹部の各々の高さ寸法を、前記両係止突起の各々に向って漸減（少しずつ短く）させてある。
【０００８】
請求項２の取付構造によれば、請求項１の取付構造の作用効果に加え、両係止凹部に嵌合した両係止突起が、漸増漸減による寸法差によってより抜けづらくなる。つまり、抜け止め作用が、より確実なものとなる。
【０００９】
（請求項３記載の発明の特徴）
請求項３記載の発明に係るパチンコ玉通過センサの取付構造（以下、適宜「請求項３の取付構造」という）は、遊技盤前面に取付可能、かつ、貫通する差込口に厚板状のパチンコ玉通過センサを前面方向から差込可能なベース板と、飾りパネル背面から当該遊技盤方向に突出する一対の縦板部を介して当該ベース板に取付可能な前飾り部材と、取り付けたときに当該ベース板前面から突出する当該パチンコ玉通過センサの幅方向両側端を受入支持させるために当該両縦板部各々の対向面に形成した両受入溝と、を含み、当該遊技盤の前面から部分的に突出させた状態で、かつ、当該遊技盤に形成した取付口を介して当該遊技盤の背面から部分的に突出させた状態でパチンコ玉通過センサ取り付けるためのパチンコ玉通過センサの取付構造において、当該パチンコ玉通過センサの両側端から上下に両係止突起を突き出させてあり、当該ベース板には、取り付けたときに当該両係止突起を厚み方向に部分受入するための両ベース板側凹部を形成してあり、当該両縦板部の各々には、取り付けたときに当該両係止突起を部分受入するための縦板部側凹部を形成してある。
【００１０】
請求項３の取付構造によれば、パチンコ玉通過センサをパチンコ遊技機の遊技盤に取り付けることができる。ベース板は、遊技盤を貫通する取付口を覆うとともに、前飾り部材の取付対象となる。パチンコ玉通過センサは、ベース板の前面から差込口に差し込まれ、遊技盤の取付口を抜けて遊技盤の背面側に部分突出する。パチンコ玉通過センサの前面側（前飾り部材側）突出部分は、両受入溝に受け入れられ、そこに支持される。このとき、パチンコ玉通過センサから上下に突出する両係止突起は、両ベース板側凹部と両縦板部側凹部によって部分的に受け入れられ、かつ、ベース板と縦板部に挟まれて保持される。この保持によってパチンコ玉通過センサの遊技盤への取り付けと抜け止めが完了する。パチンコ玉通過センサの遊技盤からの取り外しは、前飾り部材をベース板から取り外した後に前飾り部材があった方向に引き抜くことにより行う。以上のように、両係止突起がベース板と縦板部とにより挟まれることでパチンコ玉通過センサの保持が行われることから、パチンコ玉通過センサの取り付けを確実に行うことができる。
【００１１】
（請求項４記載の発明の特徴）
請求項４記載の発明に係るパチンコ玉通過センサの取付構造（以下、適宜「請求項４の取付構造」という）は、請求項１乃至３何れかの取付構造であって、前記両係止突起の各々が、前記パチンコ玉通過センサが両側端に備える厚み方向に延びる両縦溝に圧入した棒材によって構成してあることを特徴とする。
【００１２】
請求項４の取付構造によれば、請求項１乃至３何れかの取付構造の作用効果に加え、両係止突起の形成を両縦溝の各々に圧入することによって行うことができる。圧入に加え、接着剤等を使った抜け止めを施すことを妨げない。さらに、棒材の圧入以外の方法による両係止突起の形成をも妨げるものではない。
【発明の効果】
【００１３】
本発明に係るパチンコ玉通過センサの取付構造によれば、パチンコ玉通過センサを、遊技盤に対して確実に取り付けることができる。したがって、取付後にパチンコ玉通過センサが遊技盤から容易に離脱することがない。
【発明を実施するための最良の形態】
【００１４】
各図を参照しながら、本発明の実施の形態について説明する。図１は、パチンコ遊技機の正面図である。図２は、パチンコ玉通過センサの取付構造を示す斜視図である。図３は、図２に示すパチンコ玉通過センサの取付構造の分解斜視図である。図４は、図２に示すパチンコ玉通過センサの取付構造の背面図である。図５は、図４に示すパチンコ玉通過センサの取付構造のＸ−Ｘ断面図である。図６は、図４に示すパチンコ玉通過センサの取付構造のＹ−Ｙ断面図である。図７は、本実施形態の変形例に係るパチンコ玉通過センサの取付構造の分解斜視図である。図８は、図７に示すパチンコ玉通過センサの取付構造の背面図である。図９は、図７に示すパチンコ玉通過センサの取付構造のＸ´−Ｘ´断面図である。図１０は、図７に示すパチンコ玉通過センサの取付構造のＹ´−Ｙ´断面図である。
【００１５】
（取付構造の概略構造）
図１乃至３に基づいて、本実施形態に係るパチンコ玉通過センサの取付構造（以下、単に「取付構造」という）を説明する。すなわち、取付構造１は、パチンコ遊技機５１の遊技盤５３にパチンコ玉通過センサ（以下、単に「通過センサ」という）４１を取り付けるためのものであって、ベース板１１と、前飾り部材２１と、通過センサ４１に設けた係止突起４５，４５と、により概略構成してある。
【００１６】
（ベース板の構造）
図２乃至６に示すように、ベース板１１は、遊技盤５３の表面にネジ取付可能に構成してあり、取り付けることによって遊技盤５３に形成した取付口（図示を省略）を隠す役目を持っている。取付口は、遊技盤５３の背面側から通過センサ４１を差し込むための孔である。ベース板１１は、合成樹脂板であって、遊技盤５３全体のデザインやコンセプト等に合わせて、たとえば、魚や動植物を模した形態、或いは幾何学的形態に形成する。ベース板１１には、その略中央に差込口１２を貫通形成してある。差込口１２は、通過センサ４１を僅かな遊びを介して差込可能なセンサ口１３と、センサ１３の両脇の突起口１４，１４とにより、全体として略Ｈ字状に形成してある。突起口１４，１４は、後述する通過センサ４１の係止突起４５，４５を通過を許容するために形成してある。ベース板１１背面のセンサ口１３の上下には、水平方向に突出する支持片１６，１６を形成してある。支持片１６，１６は、センサ口１３に差し込まれた通過センサ４１を挟み、通過センサ４１の上下方向のガタツキを防止する機能を有している。符号１８，１８は、遊技盤５３に形成したピンホール（図示を省略）に差し込むことにより遊技盤５３に対するベース板１１の位置決めを行うための位置決めピンを示している。符号１５，１５は、前飾り部材２１の位置決めをするための受け孔を示している。
【００１７】
（前飾り部材の構造）
図２乃至６を参照しながら説明する。前飾り部材２１は、全体が合成樹脂製であり、飾りパネル２３と、飾りパネル２３背面から遊技盤方向に突出する一対の縦板部２５，２５と、から概略構成してある。飾りパネル２３の形状は、ベース板１１や遊技盤５３のデザイン等に合わせて適宜選択することができる。符号２２は、飾りパネル２３の前面に貼り付けて飾りパネル２３の装飾効果を高めるための表示板を示している。縦板部２５，２５の各々は、パチンコ玉を落下させられるように落下方向（縦方向）に沿って対向配置してあり、かつ、肉厚に形成してある。肉厚に形成したのは、縦板部２５，２５をベース板１１に取り付けたときに縦板部２５，２５の取付端２７，２７が、差込口１２（突起口１４）から露出させない部分と露出させる部分とを各々が持てるようにするためである。露出させない部分、すなわち、ベース板１１に当接する部分は、ベース板１１の背面側からねじ込んだ固定ネジ３３，３３を受け入れさせる部分であり、露出させた部分は、係止凹部２９，２９を形成するための部分である。係止凹部２９，２９は、後述する通過センサ４１の両係止突起４５，４５と嵌合可能に構成してあるとともに、各々の高さ寸法を、差し込まれた通過センサ４１の両係止突起４５，４５（後述）に向って少しずつ短く（漸減）なるように形成してある。
【００１８】
他方、縦板部２５，２５の両対向面の各々には、通過センサ４１の幅方向両側端を受入支持させるための受入溝２４，２４を突出方向全域に渡って形成してある。さらに、飾りパネル２３の背面にも受入溝２６を形成してあり、この受入溝２６及び受入溝２４，２４により、ベース板１１の差込口１２から差し込まれてベース板１１の前面から突出する通過センサ４１の３辺を受入支持するように構成してある。なお、符号３１，３１は、ベース板１１の受け孔１５，１５に差し込んで位置決めするための位置決めピンを示している。
【００１９】
（通過センサの構造）
図２乃至６に示すように通過センサ４１は、細長い厚板状のセンサであって、パチンコ玉の直径寸法よりも僅かに大きな直径寸法の通過孔４２を厚み方向に形成してある。通過孔４２の周りにはコイルを配してあり、そのコイルの中をパチンコ玉が通過したときの磁界変化が電流を生じさせる。この電流を検出することにより、パチンコ玉の通過を検知するのである。通過センサ４１の両側端には厚み方向に延びる縦溝４３，４３を形成してあり、これらの縦溝４３，４３の各々に圧入可能な幅寸法の合成樹脂製の棒材を圧入してある。本実施形態では使用していないが、抜け止めのために接着剤を塗布してから棒材を圧入するようにしてもよい。また、通過センサ４１が、縦溝４３，４３の機能と同じ機能を果たし得る溝を既に有している場合は、これらの溝を流用して棒材を取り付けるようにしてもよい。このようにして通過センサ４１と一体化した棒材が、係止突起４５，４５を構成する。係止突起４５，４５は、その高さ寸法が、係止凹部２９，２９に向って少しずつ高く（漸増）なるように構成してある。つまり、係止凹部２９，２９の高さ寸法を係止突起４５，４５に向って漸減させたことと相俟って、後者を前者に圧入嵌合させた後に、係止突起４５，４５が簡単に抜けないように構成してある。
【００２０】
上述の嵌合と同時に、通過センサ４１は、前述したように、その３辺が受入溝２４，２４，２６によって受入支持される。嵌合と受入支持により通過センサ４１は、遊技盤５３に、その前面から部分的に突出した状態で取り付けられることになる。通過センサ４１の取り外しは、差込方向と逆方向に通過センサを引き抜き、係止凹部２９，２９と係止突起４５，４５との間の嵌合を解除することにより行う。このような通過センサ４１の取付作業は親指と人差し指のみで行うことができるし、取り外し作業も同じく２本指で通過センサ４１を引き抜くことにより行うことができる。ワンタッチで簡単な作業である。
【００２１】
（本実施形態の変形例）
図７乃至１０を参照しながら説明する。本実施形態の変形例に係るパチンコ玉通過センサの取付構造１´（以下、「取付構造１´」という）の、先に説明した取付構造１との第１の相違点は、後者は係止突起４５と係止凹部２９との組み合わせによってパチンコ玉通過センサ４１の抜け止めを行ったのに対し、前者は次に述べる係止突起４５´とベース板側凹部１１ａ及び縦板部側凹部２５ａとの組み合わせによって行う点である。さらに、第１の相違点の存在により、パチンコ玉通過センサを、遊技盤の背面側からではなくベース板の前面側から差し込むことになる点が異なっている。これが、第２の相違点である。そこで以下の説明では、これらの相違点に係る部材についてのみ説明を行い、共通する部材については図１乃至６に付した符号と同じ符号を図７乃至１０に付するに止めそれらについての説明を省略する。
【００２２】
ベース板１１´には、パチンコ玉通過センサ４１´を僅かな遊びを介して差込可能なセンサ口１３´を厚み方向に貫通形成してある。センサ口１３´の縁部には、パチンコ玉通過センサ４１´を前面側から差し込むときに係止突起４５´，・・と当接する部分にベース板側凹部１１ａ，・・を形成してある。ベース板側凹部１１ａの各々は、係止突起４５´を厚み方向に部分的に受入可能に構成してある。これと同様に縦板部２５´，２５´には、係止突起４５´，・・を厚み方向に部分的に受入可能な縦板部側凹部２５ａ，・・を形成してある。各縦板部側凹部２５ａは、受入溝２４を挟んだ上下に位置することになる。
【００２３】
取付構造１´においては、まず、ベース板１１´を遊技盤５３に取り付け、その後、パチンコ玉通過センサ４１´をベース板１１´の前面側から差し込む。このとき、パチンコ玉通過センサ４１´はセンサ口１３´及び遊技盤５３に形成した取付口（図示を省略）を介して遊技盤５３の背面側にパチンコ玉通過センサ４１´が部分的に突出する。パチンコ玉通過センサ４１´の残った部分は遊技盤５３の前面側に部分的に突出する。次に、前飾り部材２１´をベース板１１´に取り付ける。このとき、パチンコ玉通過センサ４１´の３辺を受入溝２４，２４，２６に受入支持させる。さらに、係止突起４５´，・・を縦板部側凹部２５ａ，・・に部分的に受け入れさせる。これで係止突起４５´，・・は、ベース板１１´と縦板部２５´，２５´により挟まれて確実に保持される。
【図面の簡単な説明】
【００２４】
【図１】パチンコ遊技機の正面図である。
【図２】パチンコ玉通過センサの取付構造を示す斜視図である。
【図３】図２に示すパチンコ玉通過センサの取付構造の分解斜視図である。
【図４】図２に示すパチンコ玉通過センサの取付構造の背面図である。
【図５】図４に示すパチンコ玉通過センサの取付構造のＸ−Ｘ断面図である。
【図６】図４に示すパチンコ玉通過センサの取付構造のＹ−Ｙ断面図である。
【図７】本実施形態の変形例に係るパチンコ玉通過センサの取付構造の分解斜視図である。
【図８】図７に示すパチンコ玉通過センサの取付構造の背面図である。
【図９】図７に示すパチンコ玉通過センサの取付構造のＸ´−Ｘ´断面図である。
【図１０】図７に示すパチンコ玉通過センサの取付構造のＹ´−Ｙ´断面図である。
【図１１】従来の取付構造を示す上面図である。
【図１２】従来の取付構造を示す上面図である。
【符号の説明】
【００２５】
１，１´          取付構造
１１，１１´        ベース板
１１ａ              ベース板側凹部
１２                差込口
１３，１３´        センサ口
１４                突起口
１５                受け孔
１６                支持片
１８                位置決めピン
２１                前飾り部材
２２                表示板
２３                飾りパネル
２４                受入溝
２５，２５´        縦板部
２５ａ              縦板部側凹部
２６                受入溝
２７                取付端
２９                係止凹部
３１                位置決めピン
３３                固定ネジ
４１，４１´        パチンコ玉通過センサ
４２                通過口
４３                縦溝
４５，４５´        係止突起
５１                パチンコ遊技機
５３                遊技盤
１０１                パチンコ玉通過センサ
１０５                取付構造
１０７                ベース板
１０７ａ              差込口
１０９                前飾り部材
１０９ａ              飾りパネル
１０９ｂ              縦板部
１０９ｇ              受入溝
１１１                係止片
【図１】
2005177372.tif 000003
【図２】
2005177372.tif 000004
【図３】
2005177372.tif 000005
【図４】
2005177372.tif 000006
【図５】
2005177372.tif 000007
【図６】
2005177372.tif 000008
【図７】
2005177372.tif 000009
【図８】
2005177372.tif 000010
【図９】
2005177372.tif 000011
【図１０】
2005177372.tif 000012
【図１１】
2005177372.tif 000013
【図１２】
2005177372.tif 000014